(57)【要約】【課題】消費者が使用を開始した後も、確実にゴルフクラブヘッドおよびゴルフクラブの品質情報等の追跡調査を管理することができるゴルフクラブヘッドおよびゴルフクラブを提供する。【解決手段】中空部を有するゴルフクラブヘッド１の内面に、放射線遮蔽性の高い物質を含有してなるインクによって形成された文字やマーク等の情報４２が射線透過性の基材からなる記録体４１上に記載されてなる識別体４０が固着されて表示されていることで、見えない位置に製造年月日、製造工場等の品質情報表示が存在しても、前記識別体４０にＸ線等の放射線を照射することで、放射線遮蔽性の高い物質を含有してなるインクの有無に基づく前記放射線の透過の有無を撮影像に識別体４０を写して識別する。【選択図】図４
2006025948.tif 000002
【特許請求の範囲】
【請求項１】
中空部を有するゴルフクラブヘッドであって、前記ゴルフクラブヘッドの内面には、放射線遮蔽性の高い物質を含有してなるインクによって形成された文字やマーク等の識別体が表示されていることを特徴とするゴルフクラブヘッド。
【請求項２】
前記識別体は、放射線透過性の基材からなる記録体上に、放射線遮蔽性の高い物質を含有してなるインクによって形成された文字やマーク等の情報が記載されていることを特徴とする請求項１記載のゴルフクラブヘッド。
【請求項３】
前記識別体は、ラベル状に形成され、かつ、情報が記録されてなる面もしくはその裏面に接着層が設けられてなる識別体を固着されることにより表示されていることを特徴とする請求項１、２記載のゴルフクラブヘッド。
【請求項４】
請求項１から請求項３のいずれか１項に記載のゴルフクラブヘッドと、このゴルフクラブヘッドのホーゼル部に装着されたシャフトとを備えたことを特徴とするゴルフクラブ。
【発明の詳細な説明】
【技術分野】
【０００１】
本発明は、品質管理等の情報を簡単に把握できるゴルフクラブヘッドおよびゴルフクラブに関するものである。
【背景技術】
【０００２】
従来、ゴルフクラブのソケットやシャフトの表面には、品質管理等の目的で、例えば、製造ロット番号、製造年月日等の品質情報がわかる製造番号等を文字の刻印や文字ラベルまたはバーコードラベルを貼付することによって表示がされていた。
前記ゴルフクラブは、前記製造番号等の表示によりゴルフクラブとしての製造ロット毎の品質状態は把握可能であった。
【発明の開示】
【発明が解決しようとする課題】
【０００３】
また近年、ゴルフクラブでゴルフボールをより遠くに飛ばすことのできる反発性が良い種々のゴルフクラブヘッドが提供されている。
例えば、ゴルフクラブヘッドのフェース、クラウンの肉厚を薄肉化することや、繊維強化樹脂材料などの金属以外の低比重材料等からなる部材を接合させる等の極限設計が行われつつある。
【０００４】
このようにゴルフクラブヘッドは、上述したように極限設計が行われているため、ゴルフボールを打った際にゴルフクラブヘッドが破壊してしまうこともあり、ゴルフクラブヘッドの耐久性等の品質を厳しく管理することが重要となっている。
しかし、ゴルフクラブでは、ゴルフクラブ自体の素性の確認が可能であるが、ゴルフクラブヘッド単体での情報等の表示はなかった。
従って、様々な理由でゴルフクラブに故障が生じた際には、ゴルフクラブに表示されている情報にてゴルフクラブ自体の確認は可能であるが、そのゴルフクラブヘッド自体の素性まで掴むことは不可能である。
【０００５】
また、ゴルフクラブに文字ラベルやバーコードラベルを貼付している場合、ラベルが剥がされてしまうとゴルフクラブ自体の素性の確認も全く不可能となってしまっていた。
また、ゴルフクラブが使用されて所定期間が経過した後、ゴルフクラブヘッド製造時の情報等の追跡調査ができないという問題点もある。
【０００６】
そこで、本発明の目的は前記問題点を解決することで、消費者が使用を開始した後も、確実にゴルフクラブヘッドおよびゴルフクラブの品質情報等の追跡調査を管理することができるゴルフクラブヘッドおよびゴルフクラブを提供することにある。
【課題を解決するための手段】
【０００７】
前記目的を達成するために、請求項１の発明は、中空部を有するゴルフクラブヘッドであって、前記ゴルフクラブヘッドの内面には、放射線遮蔽性の高い物質を含有してなるインクによって形成された文字やマーク等の識別体が表示されていることを特徴とするゴルフクラブヘッドである。
【０００８】
請求項２の発明、請求項１記載のゴルフクラブヘッドであって、前記識別体は、放射線透過性の基材からなる記録体上に放射線遮蔽性の高い物質を含有してなるインクによって形成された文字やマーク等の情報が記載されていることを特徴とするゴルフクラブヘッドである。
【０００９】
請求項３の発明は、請求項１、２記載のゴルフクラブヘッドであって、記識別体は、ラベル状に形成され、かつ、情報が記録されてなる面もしくはその裏面に接着層が設けられてなる識別体を固着されることにより表示されていることを特徴とするゴルフクラブヘッドである。
【００１０】
請求項４の発明は、請求項１から３のいずれかに記載のゴルフクラブヘッドと、このゴルフクラブヘッドのホーゼル部に装着されたシャフトとを備えたことを特徴とするゴルフクラブである。
【発明の効果】
【００１１】
以上のように、本発明のゴルフクラブヘッドおよびゴルフクラブは、ゴルフクラブヘッドのヘッド内面に、放射線遮蔽性の高い物質を含有してなるインクによって形成された識別体が表示されていることで、見えない位置に製造年月日、製造工場等の品質情報表示が存在しても、前記識別体にＸ線等の放射線を照射して、放射線遮蔽性の高い物質を含有してなるインクの有無に基づく前記放射線の透過の有無を撮影像に識別体を写して識別することができる。従って、消費者が前記識別体を容易に取り除くことができないので、消費者が使用を開始した後も、確実に品質や履歴を管理することができる。
【発明を実施するための最良の形態】
【００１２】
以下、本発明の一実施形態を図面に基づき詳細に説明する。
図１は、例としてウッド型のゴルフクラブヘッドとして示した全体斜視図、図２は、図１のゴルフクラブヘッド内部に識別体が表示されている状態の示す説明図、図３は、ゴルフクラブヘッドとシャフトとグリップで構成されたゴルフクラブを示した斜視図、図４は、他の実施例を示しゴルフクラブヘッド内部に識別体が固着されて表示されている状態の示す説明図である。
【００１３】
図１は、例として、中空部を有するウッド型のゴルフクラブヘッド１として示したもので、該ゴルフクラブヘッド１は、ゴルフボールを打撃するフェース部２と、ゴルフクラブヘッド１の上面をなすクラウン部３と、ゴルフクラブヘッド１の下面をなすソール部４と、前記クラウン部３とソール部４との間をトウ部５側からバック部７側を通りヒール部６側までのびるサイド部８と、ゴルフシャフトが装着されるホーゼル部９を備えたものである。
また、前記ゴルフクラブヘッド１は、例えばチタン、チタン合金あるいはステンレスなどの金属材料からなるフェース・ソール部材３０と、このフェース・ソール部材１０と同種材料または異種の材料からなるクラウン部材２０とに分割された構成である。
【００１４】
次に、図２は、ゴルフクラブヘッド１の内面に本発明に係る識別体４０が表示されている状態の一例を示しており、前記クラウン部材２０の内面２０ａには、放射線遮蔽性の高い物質を含有してなるインクによって形成された文字やマーク等の識別体４０が表示されている。
そして、前記識別体が表示されたクラウン部材２０は、フェース・ソール部材３０と溶接、接着剤等にて互いに接合一体化されることにより、ゴルフクラブヘッド１が構成される。
【００１５】
また、前記ゴルフクラブヘッド１は、図３に示すように、ホーゼル部９にシャフト１１の下端が挿入され、このシャフト１１の上端にグリップ１２が装着されることにより、ゴルフクラブ１０が構成される。
【００１６】
ここで、前記識別体とは、例えば、品質に関する情報、ゴルフクラブヘッドの製造工場名、製造ロット番号、製造年月日等の情報であるが、特に限定されるものではなく、文字や何らかのマーク、記号等であっても識別できるものであればよい。
また、本発明でいう放射線とは、α線、β線、γ線、Ｘ線等を指す。
【００１７】
前記識別体を製造する方法としては、ゴルフクラブヘッド１の内面に放射線遮蔽性の高い物質を含有してなるインクによって文字やマーク等の識別体を印刷すれば良い。印刷する方法としては、スクリーン印刷、パット印刷、熱転写方式、インクジェット方式、電子写真方式、インパクト方式等の種々のプリント方式を適宜用いれば良い。
【００１８】
次に他の実施例を説明する。
図４は、ゴルフクラブヘッド１の内面に本発明に係る識別体４０が固着されている状態の一例を示しており、前記クラウン部材２０の内面２０ａには、放射線遮蔽性の高い物質を含有してなるインクによって形成された文字やマーク等の情報４２が、射線透過性の基材からなる記録体４１上に記載されてなる識別体４０が固着されて表示されている。
【００１９】
前記記録体は、放射線透過性のもであって、印刷や書き込み等ができるものであれば、特に限定されるものではない。例えば、紙やフィルムなどが好ましく用いられる。
例えば、フィルムの場合、ポリエチレンフィルム、ポリプロピレンフィルム、ポリエステルフィルム、ポリウレタンフィルム、ポリカーボネートフィルム、ポリイミドフィルム、ポリ塩化ビニルフィルム、エチレン−酢酸ビニル共重合物フィルム、エチレン−メタクリル共重合物フィルム等プラスチックフィルムの単体或いは積層物が挙げられる。
また、紙、不織布、アセテート布等の非プラスチックフィルムの単体または該非プラスチックフィルムと上記プラスチックフィルムとの積層物をテープまたはシートとして使用しても良い。
【００２０】
前記識別体の形態としては、取扱上、ラベル状であることが好ましく、より好ましくは片面に粘着剤もしくは熱硬化型接着剤もしくは、ホットメルト接着剤等の接着層が設けられた構成である。そして、この接着層が設けられた面を、ゴルフクラブヘッドの内面に固着すれば良い。また、前記接着層は、通常は情報が記録されている面の裏面に設けられていることが好ましいが、記録面の保護という観点から記録面に接着層を設けられていても構わない。
【００２１】
前記識別体を製造する方法としては、前記記録体に放射線遮蔽性の高い物質を含有してなるインクによって文字やマーク等の品質情報を印刷すれば良い。印刷する方法としては、スクリーン印刷、パット印刷、熱転写方式、インクジェット方式、電子写真方式、インパクト方式等の種々のプリント方式を適宜用いれば良い。
【００２２】
また、ゴルフクラブヘッドの内面に表示された識別体の識別方法としては、識別体に放射線を照射し、放射線遮蔽性の高い物質を含有してなるインクの有無に基づく前記放射線の透過の有無を画像にして識別すれば良い。例えば、識別体にＸ線を照射した場合に得られる写真やコンピューターのディスプレイ等に表示される。
【００２３】
上述のように、ゴルフクラブヘッドのヘッド内面には、放射線遮蔽性の高い物質を含有してなるインクによって形成された文字やマーク等の識別体が表示されており、即ち、見えない位置に製造年月日、製造工場等の品質情報表示が存在しても、前記識別体にＸ線等の放射線を照射することで、放射線遮蔽性の高い物質を含有してなるインクの有無に基づく前記放射線の透過の有無を撮影像に識別体を写して識別することができる。
従って、消費者が前記識別体を容易に取り除くことができないので、消費者が使用を開始した後も、確実に品質や履歴を管理することができる。
【００２４】
次に、本発明で用いる放射線遮蔽性の高い物質としては、例えば、タングステン、鉛、白金等が好ましく用いられるが、これらに限定されることなく放射線によって適宜選択するのが好ましい。これら物質は、インクの中に分散しているのが好ましいので、実質的には微粒子状であるのが好ましい。また、前記放射線遮蔽性の高い物質の微粒子の粒径は、表記可能であれば粒度は問われるものではないが、好ましくは、０．９μｍ〜０．４μｍ、さらに好ましくは０．６μｍ〜０．５μｍである。
【００２５】
また、本発明で用いるインクは、液状であっても固体状であっても構わない。また、本発明は放射線遮蔽性の高い物質を用いることにあるので、インク中にそれが含まれていれば、他の着色剤等の有無は限定しない。
【００２６】
また、インキに含まれるバインダー樹脂の量は、前記放射線遮蔽性の高い物質１００重量部当たり１５〜３５重量部であることが好ましい。
樹脂量が多いとインキの放射線遮蔽性が劣り、樹脂量が少ないと印刷適正や印刷物の耐性が劣ることになる。またバインダー樹脂としては、ポリエステル系、ビニル系、アクリル系、ウレタン系、ポリオレフェン系、エポキシ系、アルキッド系等の樹脂が挙げられ、インキの印刷適正及び印刷物の耐性の点で好適である。
またインキの溶剤量は、印刷適正及びインキの安定性のために放射線遮蔽性の高い物質１００重量部当たり２〜３０重量部であることが好ましい。
【００２７】
本実施の形態では、中空部を有するウッド型のゴルフクラブヘッドを基に説明したが、これに限定されるものでなく、中空型アイアンヘッドにも同様に採用可能である。
【実施例】
【００２８】
以下、本発明について実施例を挙げて説明する。
（実施例１）
まず、粒度０．５μｍ〜０．６μｍのタングステン微粉末１００重量部、ポリエステル樹脂２５重量部、溶剤５重量部を混練して放射線遮性インクを作成した。
前記インクを用いて、前記記録体上に厚さ２５μｍで文字からなる識別体を図２に示すゴルフクラブヘッド１のクラウン部材２０の内面２０ａにスクリーン印刷し表示した。
印刷された後、フェース・ソール部材３０とクラウン部材２０を溶接にて互いに接合一体化し、ゴルフクラブヘッド１を得た。
次に、図３に示すように、前記ゴルフクラブヘッド１は、ホーゼル部９にシャフト１１の下端が挿入され、このシャフト１１の上端にグリップ１２が装着されることにより、ゴルフクラブ１０を得た。
前記ゴルフクラブ１０の状態で、Ｘ線撮影すると、文字からなる情報が映像に浮かび上がり、コンピューターのディスプレイに表示され、情報が確認することができた。
【００２９】
（実施例２）
まず、粒度０．５μｍ〜０．６μｍのタングステン微粉末１００重量部、ポリエステル樹脂２５重量部、溶剤５重量部を混練して放射線遮性インクを作成した。
記録体として、ポリエチレンフィルムを使用した。
前記インクを用いて、前記記録体上に厚さ２５μｍで文字からなる情報をスクリーン印刷し、ラベル状にカットして識別体を作製した。
前記ラベル状の識別体の片面には粘着剤からなる接着層を設けた。
この識別体を図４に示すゴルフクラブヘッド１のクラウン部材２０の内面に粘着剤を介して固着した。
固着された後、フェース・ソール部材３０とクラウン部材２０を溶接にて互いに接合一体化し、ゴルフクラブヘッド１を得た。
次に、図３に示すように、前記ゴルフクラブヘッド１は、ホーゼル部９にシャフト１１の下端が挿入され、このシャフト１１の上端にグリップ１２が装着されることにより、ゴルフクラブ１０を得た。
前記ゴルフクラブ１０の状態で、Ｘ線撮影すると、文字からなる情報が映像に浮かび上がり、コンピューターのディスプレイに表示され、情報が確認することができた。
【図面の簡単な説明】
【００３０】
【図１】本発明のゴルフクラブヘッドとして示した全体斜視図。
【図２】ゴルフクラブヘッド内部に識別体が表示されている状態を示す説明図。
【図３】ゴルフクラブヘッドとシャフトとグリップで構成されたゴルフクラブを示した斜視図。
【図４】ゴルフクラブヘッド内部に識別体が固着されて表示されている状態を示す説明図。
【符号の説明】
【００３１】
１    ゴルフクラブヘッド
２    フェース部
３    クラウン部
４    ソール部
５    トウ部
６    ヒール部
７    バック部
８    サイド部
９    ホーゼル部
１０    ゴルフクラブ
１１    シャフト
１２    グリップ
２０    クラウン部材
２０ａ    内面
３０    フェース・ソール部材
４０    識別体
４１    記録体
４２    情報
【図１】
2006025948.tif 000003
【図２】
2006025948.tif 000004
【図３】
2006025948.tif 000005
【図４】
2006025948.tif 000006